(57)【要約】【課題】  制御対象範囲内がいかなる状態であっても好適な温度環境を提供する。【解決手段】  温度制御システム１０は、制御対象範囲Ａ１〜Ａｎ各々の温度を操作する温度操作部１２と、温度操作部１２毎に設けられる無線基地局１４と、無線基地局１４と無線通信を行う少なくとも１つ以上の移動局１６と、主制御部１８とを備える。主制御部１８は、各無線基地局１４から各制御対象範囲Ａ１〜Ａｎ内に存在する移動局１６の数情報を取得する。数情報が所定数を上回る場合、温度操作部１２の操作データを移動局１６の増減数に基づいて計算によって決定する。数情報が所定数を下回る場合、操作データを温度センサ３６の検出結果に基づいて決定する。【選択図】      図１
2007003031.tif 000002
【特許請求の範囲】
【請求項１】
所定の操作データに基づいて制御対象範囲内の温度を操作する温度操作部と、
前記温度操作部毎に設けられる無線基地局と、
周囲温度を検出する温度センサを搭載し、前記無線基地局と無線通信を行い、人によって携帯される少なくとも１つ以上の移動局と、
前記無線基地局から前記制御対象範囲内に存在する前記移動局の数情報を取得し、前記移動局の数が所定数を下回る場合、前記操作データを前記温度センサが検出した前記各移動局の周囲温度情報に基づいて決定し、前記移動局の数が前記所定数を上回る場合、前記操作データを前記制御対象範囲内における前記移動局の数に基づいて決定する主制御部と、
を備えることを特徴とする温度制御システム。
【請求項２】
前記移動局の数が前記所定数を下回る場合に決定される前記操作データは、前記周囲温度情報の平均値と予め設定された目標値との差分データであることを特徴とする請求項１記載の温度制御システム。
【請求項３】
前記移動局は、周囲湿度を検出する湿度センサを設け、検出した周囲湿度情報を前記無線基地局を介して前記主制御部へ送信し、前記主制御部は、前記周囲温度情報の加重平均値を計算する際の重み付けパラメータを前記周囲湿度情報に基づいて決定することを特徴とする請求項２記載の温度制御システム。
【請求項４】
前記移動局の数が前記所定数を下回る場合に決定される前記操作データは、前記各周囲温度情報の中の最大値あるいは最小値と予め設定された目標値との差分データであることを特徴とする請求項１記載の温度制御システム。
【請求項５】
前記移動局の数が前記所定値を上回る場合に決定される前記操作データを、前記移動局の増減数に基づいて算出することを特徴とする請求項１記載の温度制御システム。
【請求項６】
前記操作データは、前記増減数情報に、人一人が発生する熱により上昇すると予測される温度を乗じたデータであることを特徴とする請求項５記載の温度制御システム。
【請求項７】
前記主制御部は、所定の条件が満足された場合、前記操作データを前記移動局の数に関わりなく常に前記周囲温度情報に基づいて決定することを特徴とする請求項１記載の温度制御システム。
【請求項８】
前記主制御部は、前記制御対象範囲内に移動局が全く存在しないか、あるいは存在してもその数が僅かな場合、前記操作データを、前記温度操作部の運転を停止する旨のデータあるいは運転出力を低下させる旨のデータとすることを特徴とする請求項１記載の温度制御システム。
【請求項９】
所定の操作データに基づいて制御対象範囲内の温度を操作する温度操作部を制御するための温度制御方法であって、
前記温度操作部毎に設けられる無線基地局から前記制御対象範囲内に存在する前記移動局の数情報を取得し、
前記移動局の数が所定数を下回る場合、前記操作データを、前記各移動局の周囲温度情報に基づいて決定し、
前記移動局の数が前記所定数を上回る場合、前記操作データを、前記制御対象範囲内における前記移動局の数に基づいて決定する
ことを特徴とする温度制御方法。
【請求項１０】
前記移動局の数が前記所定数を下回る場合に決定される前記操作データは、前記周囲温度情報の平均値と予め設定された目標値との差分データであることを特徴とする請求項９記載の温度制御方法。
【請求項１１】
前記周囲温度情報の加重平均値を計算する際の重み付けパラメータを、前記移動局から受信した周囲湿度情報に基づいて決定することを特徴とする請求項１０記載の温度制御方法。
【請求項１２】
前記移動局の数が前記所定数を下回る場合に決定される前記操作データは、前記各周囲温度情報の中の最大値あるいは最小値と予め設定された目標値との差分データであることを特徴とする請求項９記載の温度制御方法。
【請求項１３】
前記移動局の数が前記所定値を上回る場合に決定される前記操作データを、前記移動局の増減数に基づいて算出することを特徴とする請求項９記載の温度制御方法。
【請求項１４】
前記操作データは、前記増減数情報に、人一人が発生する熱により上昇すると予測される温度を乗じたデータであることを特徴とする請求項１３記載の温度制御方法。
【請求項１５】
所定の条件が満足された場合、前記操作データを前記移動局の数に関わりなく常に前記周囲温度情報に基づいて決定することを特徴とする請求項９記載の温度制御方法。
【請求項１６】
前記制御対象範囲内に移動局が全く存在しないか、あるいは存在してもその数が僅かな場合、前記操作データを前記温度操作部の運転を停止する旨のデータあるいは運転出力を低下させる旨のデータとすることを特徴とする請求項９記載の温度制御方法。
【請求項１７】
所定の操作データに基づいて制御対象範囲内の温度を操作する温度操作部を制御するための温度制御装置であって、
前記温度操作部毎に設けられる無線基地局から前記制御対象範囲内に存在する前記移動局の数情報を取得する手段と、
前記移動局の数が所定数を下回る場合、前記操作データを、前記各移動局の周囲温度情報に基づいて決定し、前記移動局の数が前記所定数を上回る場合、前記操作データを、前記制御対象範囲内における前記移動局の数に基づいて決定する手段と、
を備えることを特徴とする温度制御装置。
【請求項１８】
前記移動局の数が前記所定数を下回る場合に決定される前記操作データは、前記周囲温度情報の平均値と予め設定された目標値との差分データであることを特徴とする請求項１７記載の温度制御装置。
【請求項１９】
前記周囲温度情報の加重平均値を計算する際の重み付けパラメータを、前記移動局から受信した周囲湿度情報に基づいて決定することを特徴とする請求項１８記載の温度制御装置。
【請求項２０】
前記移動局の数が前記所定数を下回る場合に決定される前記操作データは、前記各周囲温度情報の中の最大値あるいは最小値と予め設定された目標値との差分データであることを特徴とする請求項１７記載の温度制御装置。
【請求項２１】
前記移動局の数が前記所定値を上回る場合に決定される前記操作データを、前記移動局の増減数に基づいて算出することを特徴とする請求項１７記載の温度制御装置。
【請求項２２】
前記操作データは、前記増減数情報に、人一人が発生する熱により上昇すると予測される温度を乗じたデータであることを特徴とする請求項２１記載の温度制御装置。
【請求項２３】
所定の条件が満足された場合、前記操作データを前記移動局の数に関わりなく常に前記周囲温度情報に基づいて決定することを特徴とする請求項１７記載の温度制御装置。
【請求項２４】
前記制御対象範囲内に移動局が全く存在しないか、あるいは存在してもその数が僅かな場合、前記操作データを前記温度操作部の運転を停止する旨のデータあるいは運転出力を低下させる旨のデータとすることを特徴とする請求項１７記載の温度制御装置。
【発明の詳細な説明】
【技術分野】
【０００１】
本発明は、建物内等に設置されて所定の制御対象範囲内の温度を制御する温度制御システム、温度制御方法および温度制御装置に関する。
【背景技術】
【０００２】
一般家庭、会社、あるいは商業施設等あらゆる場所には、所定の制御対象範囲内の温度を調節する空調設備が設置されている。通常、このような空調設備における温度制御は、オンオフ制御やＰＩＤ制御等のいわゆるフィードバック制御によって行われる。フィードバック制御は、フィードバックループにより制御した結果（出力）を入力側に戻し、目標値と比較して次の制御へ役立てようとする制御である。まず、所定の目標温度を設定する。次いで、制御対象範囲内に設置された温度センサにより実際の温度を検出する。そして、目標温度と検出温度との差分温度ΔＴを算出し、この差分温度ΔＴが最小となるようにヒータ等の温度操作手段の出力を制御する。
【０００３】
ところで、従来、制御対象範囲内の実際温度を検出する温度センサは、例えば、特許文献１に示すように、操作用のリモコン等と一緒に制御対象範囲内の壁面等に１つだけ固定的に設置される。ここで、図８に示すように、温度センサ１が制御対象範囲Ｗ内の壁面２に設置され、人が中央部３にいる場合を想定する。この場合、目標温度がＴ１、壁面２付近の温度がＴ２、中央部３付近の温度がＴ３であったとする。空調設備は、目標温度Ｔ１と検出温度Ｔ２との差分ΔＴ（＝Ｔ２−Ｔ１）を算出し、この差分ΔＴが無くなるように温度操作手段をコントロールする。すなわち、この場合、上記の空調設備は、本来目標とすべき温度Ｔ３ではなく温度Ｔ２を目標として温度制御を実行する。従って、上記のように温度センサが固定された構成では、温度センサが設置された場所と実際に人がいる場所とに温度差がある場合、人にとって本当に快適な温度制御を行うことができない。また、１つの温度センサでは、売場等の人の出入りが激しく制御対象範囲内の温度が急激に変化する環境の場合、その急激な温度変化に追随することができない。
【０００４】
また、特許文献２には、集中制御装置が、基地局を介して無線により携帯通信端末から受信した空調運転データに基づいて室外機、室内機を駆動するようにした空調制御システムが開示されている。しかしながら、この場合に集中制御装置に送信される運転空調データは、設定したい温度（例えば、「２５℃」や「高温」等）に関するデータである。すなわち、このデータは、上記の目標温度Ｔｘに相当するものであって、携帯通信端末の周囲の実際温度Ｔｙではない。従って、温度設定を個々人がワイヤレスに設定できるという効果はあるものの、結局、特許文献１と同様に人にとって本当に快適な温度制御を行うことはできない。
【０００５】
一方、特許文献３には、制御対象範囲内に無線基地局を設置し、この無線基地局と無線通信を行う無線端末を人に携帯させるようにした空調設備が開示されている。この空調設備は、無線基地局が制御対象範囲内における無線端末の増減数を把握する。そして、この増減数に予め計算によって定めた一人当たりの発生熱量を乗じて発生熱増減量（上述のΔＴに相当）を求め、この発生熱増減量に基づいて環境調節手段をコントロールする。すなわち、特許文献３に開示の空調設備は、環境調節手段を制御するための制御データを温度センサの実測値から求めるのではなく、制御対象範囲内における無線端末の増減数に基づいた計算によって求めている。従って、場所毎の温度差の影響を受けにくく、また、急激な温度変化にもある程度対応することができる。
【０００６】
【特許文献１】特開２００４−３３４６２２号公報（段落［００１７］、図１）
【特許文献２】特開２００４−２９３９４４号公報（段落［００１４］［００１７］［００１８］）
【特許文献３】特開２００３−０２１３７９号公報（段落［００２１］［００２２］［００３１］、図５）
【発明の開示】
【発明が解決しようとする課題】
【０００７】
しかしながら、特許文献３に開示の構成は、一方で、制御対象範囲内に存在する人数の差によって温度制御の精度がばらつくという欠点を抱えている。制御対象範囲内にある程度多くの人が存在する場合は、予め計算によって定めた一人当たりの発生熱量と実際の発生熱量とが近似するから良い。しかしながら、人が少ない場合は、計算値と実際値との誤差が大きくなり、温度制御の精度が低下する問題がある。従って、人にとって本当に快適な温度制御を行うことができない。
【０００８】
本発明は上記の課題を解決するためになされたものであり、制御対象範囲内がいかなる状態であっても好適な温度環境を提供することが可能な温度制御システム、温度制御方法および温度制御装置を提供することを目的とする。
【課題を解決するための手段】
【０００９】
本発明の温度制御システムは、所定の操作データに基づいて制御対象範囲内の温度を操作する温度操作部と、
前記温度操作部毎に設けられる無線基地局と、
周囲温度を検出する温度センサを搭載し、前記無線基地局と無線通信を行い、人によって携帯される少なくとも１つ以上の移動局と、
前記無線基地局から前記制御対象範囲内に存在する前記移動局の数情報を取得し、前記移動局の数が所定数を下回る場合、前記操作データを前記温度センサが検出した前記各移動局の周囲温度情報に基づいて決定し、前記移動局の数が前記所定数を上回る場合、前記操作データを前記制御対象範囲内における前記移動局の数に基づいて決定する主制御部と、
を備えることを特徴とする。
【００１０】
この場合、前記移動局の数が前記所定数を下回る場合に決定される前記操作データは、前記周囲温度情報の平均値と予め設定された目標値との差分データであってもよい。
【００１１】
さらに、前記移動局は、周囲湿度を検出する湿度センサを設け、検出した周囲湿度情報を前記無線基地局を介して前記主制御部へ送信し、前記主制御部は、前記周囲温度情報の加重平均値を計算する際の重み付けパラメータを前記周囲湿度情報に基づいて決定することもできる。
【００１２】
また、前記移動局の数が前記所定数を下回る場合に決定される前記操作データは、前記各周囲温度情報の中の最大値あるいは最小値と予め設定された目標値との差分データであってもよい。
【００１３】
また、前記移動局の数が前記所定値を上回る場合に決定される前記操作データを、前記移動局の増減数に基づいて算出してもよい。
【００１４】
この場合、前記操作データは、前記増減数情報に、人一人が発生する熱により上昇すると予測される温度を乗じたデータであってもよい。
【００１５】
また、前記主制御部は、所定の条件が満足された場合、前記操作データを前記移動局の数に関わりなく常に前記周囲温度情報に基づいて決定してもよい。
【００１６】
また、前記主制御部は、前記制御対象範囲内に移動局が全く存在しないか、あるいは存在してもその数が僅かな場合、前記操作データを、前記温度操作部の運転を停止する旨のデータあるいは運転出力を低下させる旨のデータとしてもよい。
【００１７】
本発明の温度制御方法は、所定の操作データに基づいて制御対象範囲内の温度を操作する温度操作部を制御するための温度制御方法であって、
前記温度操作部毎に設けられる無線基地局から前記制御対象範囲内に存在する前記移動局の数情報を取得し、
前記移動局の数が所定数を下回る場合、前記操作データを、前記各移動局の周囲温度情報に基づいて決定し、
前記移動局の数が前記所定数を上回る場合、前記操作データを、前記制御対象範囲内における前記移動局の数に基づいて決定する
ことを特徴とする。
【００１８】
この場合、前記移動局の数が前記所定数を下回る場合に決定される前記操作データは、前記周囲温度情報の平均値と予め設定された目標値との差分データであってもよい。
【００１９】
さらに、前記周囲温度情報の加重平均値を計算する際の重み付けパラメータを、前記移動局から受信した周囲湿度情報に基づいて決定してもよい。
【００２０】
また、前記移動局の数が前記所定数を下回る場合に決定される前記操作データは、前記各周囲温度情報の中の最大値あるいは最小値と予め設定された目標値との差分データであってもよい。
【００２１】
また、前記移動局の数が前記所定値を上回る場合に決定される前記操作データを、前記移動局の増減数に基づいて算出するようにしてもよい。
【００２２】
この場合、前記操作データは、前記増減数情報に、人一人が発生する熱により上昇すると予測される温度を乗じたデータであってもよい。
【００２３】
また、所定の条件が満足された場合、前記操作データを前記移動局の数に関わりなく常に前記周囲温度情報に基づいて決定するようにしてもよい。
【００２４】
また、前記制御対象範囲内に移動局が全く存在しないか、あるいは存在してもその数が僅かな場合、前記操作データを前記温度操作部の運転を停止する旨のデータあるいは運転出力を低下させる旨のデータとすることもできる。
【００２５】
本発明の温度制御装置は、所定の操作データに基づいて制御対象範囲内の温度を操作する温度操作部を制御するための温度制御装置であって、
前記温度操作部毎に設けられる無線基地局から前記制御対象範囲内に存在する前記移動局の数情報を取得する手段と、
前記移動局の数が所定数を下回る場合、前記操作データを、前記各移動局の周囲温度情報に基づいて決定し、前記移動局の数が前記所定数を上回る場合、前記操作データを、前記制御対象範囲内における前記移動局の数に基づいて決定する手段と、
を備えることを特徴とする。
【００２６】
この場合、前記移動局の数が前記所定数を下回る場合に決定される前記操作データは、前記周囲温度情報の平均値と予め設定された目標値との差分データであってもよい。
【００２７】
さらに、前記周囲温度情報の加重平均値を計算する際の重み付けパラメータを、前記移動局から受信した周囲湿度情報に基づいて決定してもよい。
【００２８】
また、前記移動局の数が前記所定数を下回る場合に決定される前記操作データは、前記各周囲温度情報の中の最大値あるいは最小値と予め設定された目標値との差分データであってもよい。
【００２９】
また、前記移動局の数が前記所定値を上回る場合に決定される前記操作データを、前記移動局の増減数に基づいて算出するようにしてもよい。
【００３０】
この場合、前記操作データは、前記増減数情報に、人一人が発生する熱により上昇すると予測される温度を乗じたデータであってもよい。
【００３１】
また、所定の条件が満足された場合、前記操作データを前記移動局の数に関わりなく常に前記周囲温度情報に基づいて決定してもよい。
【００３２】
前記制御対象範囲内に移動局が全く存在しないか、あるいは存在してもその数が僅かな場合、前記操作データを前記温度操作部の運転を停止する旨のデータあるいは運転出力を低下させる旨のデータとしてもよい。
【発明の効果】
【００３３】
本発明は、制御対象範囲内に存在する移動局の数が所定数を上回る場合、温度操作部の操作データを、制御対象範囲内における移動局の数に基づいて決定している。従って、制御対象範囲内において場所毎に温度差があった場合であってもその影響を受けにくく、また、急激な温度変化にも対応することができる。
【００３４】
さらに、本発明は、制御対象範囲内に存在する移動局の数が所定数を下回る場合、温度操作部の操作データを、各移動局の周囲温度情報に基づいて決定している。従って、制御対象範囲内に存在する人の数が少ない場合に上記の増減数に基づいた計算により生じる温度制御の精度低下を阻止することができる。
【００３５】
しかもこの場合、移動局毎に温度センサが付いているので、人周辺の温度を正確に検出することができる。従って、制御対象範囲内に温度差が生じた場合であっても人が好適と感じる温度環境を提供することができる。
【発明を実施するための最良の形態】
【００３６】
本発明の最良の実施の形態について図面を参照して以下詳細に説明する。
【００３７】
図１は、本発明の実施の形態に係わる温度制御システム１０の構成ブロック図を示す。温度制御システム１０は、制御対象範囲Ａ１〜Ａｎ各々の温度を操作する温度操作部１２と、温度操作部１２毎に設けられる無線基地局１４と、人に携帯されるとともに無線基地局１４と無線通信を行う少なくとも１つ以上の移動局１６と、無線基地局１４からの情報に基づいて温度操作部１２を操作する操作データを決定する主制御部１８とを備えて基本的に構成される。
【００３８】
温度操作部１２は、冷却コイル等の冷房手段および／または加熱コイル等の暖房手段とからなる冷暖房部（不図示）と、主制御部１８からの操作データに基づいて前記冷暖房部を駆動する駆動部（不図示）とを備える。
【００３９】
無線基地局１４は、図２に示すように、移動局１６と無線通信を行う無線部２０と、無線基地局１４全体を制御する制御部２２と、記憶部２４とを備える。制御部２２は、無線部２０を介して各移動局１６から受信した移動局情報Ｄ１（図３参照）を記憶部２４に格納し、必要に応じてこれを読み出して主制御部１８に送信する。移動局情報Ｄ１は、図３に示すように、移動局１６毎の識別情報Ｄ２と周囲温度情報Ｄ３とからなる情報を、無線基地局１４の通信範囲内に存在する移動局１６の分だけ集めたものである。尚、この場合、各無線基地局１４がカバーする通信範囲は、各温度操作部１２が温度制御を実行する制御対象範囲Ａ１〜Ａｎとほぼ等しいものとする。従って、例えば、移動局１２が制御対象範囲Ａ１にいる場合、そこの無線基地局１４と通信する。逆に、制御対象範囲Ａ１〜Ａｎいずれにも存在しない場合は、どの無線基地局１４とも通信しない。
【００４０】
移動局１６は、図４に示すように、無線基地局１４と無線通信を行う無線部３０と、移動局１６全体を制御する制御部３２と、記憶部３４と、移動局１６の周囲温度を検出する温度センサ３６とを備える。尚、記憶部３４には、各移動局１６を識別する識別情報Ｄ２が予め格納されている。移動局１６は、自己が存在する制御対象範囲Ａ１〜Ａｎをカバーする無線基地局１４に対して、識別情報Ｄ２と温度センサ３６が検出した周囲温度情報Ｄ３とを無線部３０を介して送信する。
【００４１】
主制御部１８は、図５に示すように、主制御部１８全体を制御する制御部４０と、タイマ４２と、入力部４４と、記憶部４６とを備える。タイマ４２はレジスタに設定された所定時間を計時し、この所定時間がタイムアップする度に制御部４０に対して割り込み信号を出力する。制御部４０は、基本的にはこの割り込み信号に同期して後述する温度制御を実行する。記憶部４６には、入力部４４等から入力された制御対象範囲Ａ１〜Ａｎ毎の目標温度情報Ｔｘと、人一人が発生する熱により上昇すると予測される予測上昇温度情報Ｔｙとが記憶される。さらに、制御対象範囲Ａ１~Ａｎ毎の１周期前の移動局１２の数情報（以下、前回移動局数情報と言う。）Ｔｚが記憶される。
【００４２】
本実施の形態の温度制御システム１０は、基本的には以上のように構成される。次に、この温度制御システム１０の動作（温度制御方法）について、図６のフローチャートを用いて以下詳細に説明する。尚、図６に示す処理は、具体的には、主制御部１８の制御部４０によって処理される。
【００４３】
図６に示す処理に先立って以下の前処理が各部において実行される。移動局１６においては、自己を識別する識別情報Ｄ２がその記憶部３４に予め格納される（図４参照）。主制御部１８においては、目標温度情報Ｔｘと予測上昇温度情報Ｔｙとがその記憶部４６に予め格納される（図５参照）。また、主制御部１８では、その制御部４０がタイマ４２のレジスタに所定の時間、すなわち温度制御を実行する周期を設定する。例えば、レジスタに１０分を設定した場合、タイマ４２は１０分毎に制御部４０に対して割り込み信号を出力する。
【００４４】
ここで、図６のフローチャートに示す処理が実行される。まず、主制御部１８の制御部４０は、タイマ４２がタイムアップした際に発生する割り込み信号の受信の有無を確認する（ステップＳ１）。制御部４０は、割り込み信号を受信していない場合は受信するまで処理を繰り返す。
【００４５】
割り込み信号を受信した場合、制御部４０は各無線基地局１４から図３に示す移動局情報Ｄ１を取得する（ステップＳ２）。尚、説明を明確なものとするために、制御対象範囲Ａ１における処理を例に挙げて以下説明する。もちろん、以下に説明する処理は、制御対象範囲Ａ１に限定されるものではなく、すべての制御対象範囲Ａ１〜Ａｎに適用される。制御対象範囲Ａ１の無線基地局１４は、通信可能な移動局１６、すなわち制御対象範囲Ａ１内に存在する全ての移動局１６から識別情報Ｄ２と周囲温度情報Ｄ３とからなる組情報を取得する。無線基地局１４は、各移動局１６から受信した全ての組情報からなる移動局情報Ｄ１を作成し、主制御部１８へ送信する。
【００４６】
主制御部１８の制御部４０は、受信した移動局情報Ｄ１内の識別情報Ｄ２の数を数えることにより、制御対象範囲Ａ１内に存在する移動局１６の総数を求める。そして、制御部４０は、この総数が所定数を上回るか否かを判定する（ステップＳ３）。
【００４７】
制御対象範囲Ａ１内における移動局１６の総数が所定数を下回る場合、制御部４０は、制御対象範囲Ａ１内に存在する移動局１６の周囲温度情報Ｄ３の平均値Ｔａｖを算出する（ステップＳ４）。尚、この場合の平均は、ｎ個のデータの総和をｎで割る最も一般的な相加平均に限定されるものではなく、例えば、相乗平均、調和平均、あるいは加重平均等あらゆる平均を含む。制御部４０は、記憶部４６から制御対象範囲Ａ１の目標温度情報Ｔｘを読み出し、この目標温度情報Ｔｘと前記平均温度Ｔａｖとの差分データ（Ｔｘ−Ｔａｖ）を算出する。そして、この差分データ（Ｔｘ−Ｔａｖ）を、温度操作部１２を操作するための操作データとする（ステップＳ５）。例えば、操作データ（Ｔｘ−Ｔａｖ）＝−５℃の場合、温度操作部１２は自己の冷暖房部の出力を５℃上がるように操作する。一方、操作データ（Ｔｘ−Ｔａｖ）＝＋４℃の場合、温度操作部１２は自己の冷暖房部の出力を４℃下がるように操作する。
【００４８】
制御部４０は、この操作データを制御対象範囲Ａ１の温度操作部１２へ送信する（ステップＳ６）。温度操作部１２の駆動部は、この操作データに基づいて自己の冷暖房部を操作して制御対象範囲Ａ１内の温度を調節する。さらに、制御部４０は、記憶部４６の前回移動局数情報Ｔｚの内容を、現在、制御対象範囲Ａ１内に存在する移動局１６の数に更新（ステップＳ７）し、ステップＳ１に戻る。
【００４９】
一方、制御対象範囲Ａ１内における現在の移動局１６の総数が所定数を上回る場合（ステップＳ３のＹＥＳ判定の場合）、制御部４０は、制御対象範囲Ａ１内における移動局１６の増減数を算出する（ステップＳ８）。具体的には、制御部４０は、記憶部４６から前回移動局数情報Ｔｚを読み出す。この前回移動局数情報Ｔｚに記述された数（前回の数）とステップＳ３で求めた移動局１２の総数（今回の数）との差分を求め、これを増減数Ｎｔとする。次いで、制御部４０は、この増減数Ｎｔと記憶部４６から読み出した予測上昇温度情報Ｔｙとを乗じる。乗じて得られた数値（Ｎｔ×Ｔｙを、温度操作部１２を操作するための操作データとする（ステップＳ９）。例えば、操作データ（Ｎｔ×Ｔｙ）＝−５℃の場合、温度操作部１２は自己の冷暖房部の出力を５℃上がるように操作する。一方、操作データ（Ｎｔ×Ｔｙ）＝＋４℃の場合、温度操作部１２は自己の冷暖房部の出力を４℃下がるように操作する。制御部４０は、ステップＳ６およびステップＳ７の処理を実行し、ステップＳ１に戻る。
【００５０】
以上説明した本実施の形態の温度制御システム１０は、制御対象範囲Ａ１〜Ａｎ内に存在する移動局１６の数が所定数を上回る場合、温度操作部１２の操作データを、移動局１６の増減数に基づいて計算によって決定している。従って、制御対象範囲Ａ１〜Ａｎ内において場所毎に温度差があった場合であってもその影響を受けにくく、また、急激な温度変化にも対応することができる。
【００５１】
さらに、温度制御システム１０は、制御対象範囲Ａ１〜Ａｎ内に存在する移動局１６の数が所定数を下回る場合、操作データを温度センサ３６の検出結果に基づいて決定している。従って、制御対象範囲Ａ１〜Ａｎ内に存在する人の数が少ない場合に上記の増減数に基づいた計算により生じる精度低下を阻止することができる。
【００５２】
しかもこの場合、移動局１６毎に温度センサ３６が付いているので、制御対象範囲Ａ１〜Ａｎ内に温度差が生じた場合であっても忠実に人周辺の温度を検出することができる。すなわち、制御対象範囲Ａ１〜Ａｎ内がいなかる状態であっても人が好適と感じる温度環境を提供することができる。
【００５３】
尚、上記処理において、移動局１６の数が所定数を上回る場合に決定される操作データは、移動局１６の数に基づいて算出されればそれでよく、必ずしも移動局１６の増減数を参照する方法に限定されるものではない。例えば、移動局の数毎に制御対象範囲Ａ１〜Ａｎ内における予測温度を予め決定しておく。そして、この予測温度と前述の目標温度Ｔｘとの差分を求め、それを操作データとするようにしてもよい。
【００５４】
尚、上記処理において温度操作部１２の操作データを決定する際、ステップＳ４では各周囲温度情報Ｄ３の平均値を算出しているが、必ずしも平均を算出することに限定されるものではない。例えば、各周囲温度情報Ｄ３の中の最大値あるいは最小値を選択するようにしてもよい。あるいは、図７に示すように、移動局１６にその周囲湿度を検出する湿度センサ５０を設け、その検出結果である周囲湿度情報に基づいて選択する温度を決定するようにしてもよい。
【００５５】
さらに、例えば、加重平均値を算出する場合、その重み付けパラメータを、前述した周囲湿度情報に基づいて決定するようにしてもよい。
【００５６】
また、上記所定数は基本的には適宜に決定可能であるが、例えば、予測上昇温度情報Ｔｙと実際の一人当たりの上昇温度との誤差が許容できる人数（端末数）の下限とすればよい。
【００５７】
また、上記の温度制御システム１０は、基本的には制御対象範囲Ａ１〜Ａｎ内に存在する人に対して好適な温度環境を与えることを主目的としているが、自己発熱するものであれば人以外の対象、例えば、動植物にも適用可能である。その場合、予測上昇温度情報Ｔｙを新たに計算すればよい。
【００５８】
さらに、対象は自己発熱しない、例えば、荷物や設備類であってもよい。その場合、主制御部１８の動作モードを、例えば、入力部４４からの指示等に基づいて移動局１６の数に関わりなく常に周囲温度情報に基づいて操作データを決定するモードにすればよい。
【００５９】
さらにまた、上記の温度制御システム１０は、以下のような構成とすることもできる。すなわち、制御対象範囲Ａ１〜Ａｎ内に移動局１６が全く存在しない場合、あるいは存在してもその数が僅かな場合、主制御部１８が発生する操作データを温度操作部１２の運転を停止する旨のデータあるいは運転出力を低下させる旨のデータとすることもできる。このようにすることにより、温度操作部１２において無駄な電力が消費されることがない。
【００６０】
尚、上記実施の形態において、無線基地局１４と移動局１６とは、具体的には以下の構成とすることができる。例えば、移動局１６を無線ＩＣタグとし、無線基地局１４をこの無線ＩＣタグと電波により通信する無線ＩＣタグリーダとしてもよい。さらに、移動局１６を電波、赤外線、可視光等の電磁波を用いた無線ＬＡＮ（Local Area Network）機能を搭載したノートパソコン、携帯電話、ＰＤＡ（Personal Digital Assistance）、ＰＨＳ（Personal Handyphone System）等で構成し、無線基地局１４をそれらと交信するアクセスポイントとしてもよい。また、無線基地局１４と移動局１６とをＢｌｕｅｔｏｏｔｈやＩｒＤＡ（Infrared Data Association）等の近距離無線通信で接続してもよい。
【図面の簡単な説明】
【００６１】
【図１】本実施の形態の温度制御システムの制御ブロック図である。
【図２】図１に示す無線基地局の制御ブロック図である。
【図３】図１に示す無線基地局から主制御部に送信される移動局情報のフォーマット図である。
【図４】図１に示す移動局の制御ブロック図である。
【図５】図１に示す主制御部の制御ブロック図である。
【図６】主制御部で実行される温度制御プログラムの手順を説明するフローチャートである。
【図７】図４に示す移動局の他の構成の制御ブロック図である。
【図８】従来の温度制御システムにおける温度センサの設置場所、および場所によって温度差が生じている様子を示す制御対象範囲Ｗの平面図である。
【符号の説明】
【００６２】
１０    温度制御システム
１２    温度操作部
１４    無線基地局
１６    移動局
１８    主制御部
３６    温度センサ
５０    湿度センサ
【図１】
2007003031.tif 000003
【図２】
2007003031.tif 000004
【図３】
2007003031.tif 000005
【図４】
2007003031.tif 000006
【図５】
2007003031.tif 000007
【図６】
2007003031.tif 000008
【図７】
2007003031.tif 000009
【図８】
2007003031.tif 000010